(57)【特許請求の範囲】
【請求項１】
長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成し、前記各押え体の両端部には外方に突出する連結部を設け、前記各連結部には、前記締付け体が係合可能な係合部を形成するとともに、前記締付け体には、前記締付け操作部の締付け操作に連れて締付け体と長尺体又は長尺体束との間に配置される前記押え体の外面に対して外方から押圧する押圧部を設けてある締付け固定具。
【請求項２】
長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成するとともに、前記締付け体には、前記締付け操作部の締付け操作に連れて締付け体と長尺体又は長尺体束との間に配置される前記押え体の外面に対して外方から押圧する押圧部を設け、前記複数個の押え体が屈曲変形可能な連結体を介して連結されている締付け固定具。
【請求項３】
長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成するとともに、前記締付け体には、前記締付け操作部の締付け操作に連れて締付け体と長尺体又は長尺体束との間に配置される前記押え体の外面に対して外方から押圧する押圧部を設け、前記押え体の一端部には、隣接する両押え体の端部間に臨む長尺体の外面に沿って当て付け可能な弧状の補助押え片が設けられている締付け固定具。
【請求項４】
前記各押え体の中間部に、長尺体又は長尺体束の外周面に沿って弧状に湾曲する弧状中間部が形成され、前記各弧状中間部の内側面が前記押え面に形成されているとともに、前記締付け体の押圧部が各押え体の弧状中間部の外面を径方向外方から押圧するように構成されている請求項１〜３のいずれか１項に記載の締付け固定具。
【請求項５】
前記複数の押え体が、長尺体又は長尺体束の周りに略三角環状形に配置可能に構成されている請求項１〜４のいずれか１項に記載の締付け固定具。
【発明の詳細な説明】
【技術分野】
【０００１】
本発明は、風力発電設備やトンネルなどの壁面や天井面等に固定された取付け基材等の被取付け面に、電線管やケーブル等の長尺物を一本又は複数本単位で締付け固定する締付け固定具に関する。
【背景技術】
【０００２】
従来の締付け固定具としては、特許文献１，２に示すように、取付け基材の被取付け面に形成された被係合部に対して係脱自在な係止部を下端側に備えた板状の左右一対の押え部材と、両押え部材の上端部同士を締付け側に相対近接移動させるボルト・ナットとを用いて、長尺体を取付け基材の被取付け面に締付け固定するクランプ方式と、特許文献３に示すように、長尺体の長手方向視でＵ字状又は略Ｕ字状に形成されたボルトとこれの両端に螺合されるナットを用いて、長尺体を取付け基材の被取付け面に締付け固定するＵ字状ボルト方式とが提案されている。
【０００３】
前記クランプ方式の締付け固定具では、左右一対の押え部材の上端を上方に延出して、ボルト・ナットに対する連結片を形成するとともに、前記両押え部材のうち、長尺体の外面に沿って当て付けられる弧状押え部には、弾性変形可能な軟質合成樹脂製の保護カバーが外嵌装着されている。
【０００４】
前記Ｕ字状ボルト方式の締付け固定具では、前記取付け基材の被取付け面と長尺体の下面との間に、長尺体の外面に沿う弧状の受け面を備えた受け台を設け、この受け台の左右両側部に、前記Ｕ字状ボルトの左右の軸部が入り込む凹部を形成するとともに、前記Ｕ字状ボルトの押え部及び前記受け台の弧状受け面には、弾性変形可能な軟質合成樹脂製の保護カバーが外嵌装着されている。
【０００５】
【特許文献１】実開平２−１３４３８７号公報
【特許文献２】実開平７−１３８５号公報
【特許文献３】特許第２９４８８０４号公報
【発明の開示】
【発明が解決しようとする課題】
【０００６】
前記クランプ方式の締付け固定具による場合は、取付け基材の被取付け面に載置されている長尺体に対して、取付け基材の被係合部に係止された左右一対の押え部材を外装し、両押え部材の連結片同士にわたって設けたボルト・ナットの締め付け操作により、長尺体を取付け基材の被取付け面に締付け固定するのであるが、このとき、前記取付け基材の被取付け面と長尺体の外面との間に横断面視において押え部材の下半側に向かって開口する三角形状の空間が形成されているため、ボルト・ナットの締め付け操作に連れて長尺体が三角状空間側に入り込みながら歪に圧縮変形される不都合がある。
【０００７】
また、前記Ｕ字状ボルト方式の締付け固定具では、取付け基材の被取付け面と長尺体の下面との間に、長尺体の外面に沿う弧状の受け面を備えた受け台を設けるものの、受け台と長尺体の外面との間にも、Ｕ字状ボルトの両軸部側に向かって開口する三角形状の空間が形成されているため、ナットの締め付け操作に連れて長尺体が三角状空間側に入り込みながら歪に圧縮変形される不都合がある。
【０００８】
更に、前記Ｕ字状ボルト方式の締付け固定具では、二本の長尺体を取付け基材の被取付け面に締付け固定する場合、下層側の長尺体の外面に沿う弧状の第１受け面と上層側の長尺体の外面に沿う弧状の第２受け面とを備えた間隔規制具を用いるため、上層側の長尺体及び下層側の長尺体が共に三角状空間側に入り込みながら歪に圧縮変形される不都合があり、しかも、長尺体の隣接間に間隔規制具を介在させるために締付け固定具全体が大型化し易い。
【０００９】
本発明は、上述の実状に鑑みて為されたものであって、その主たる課題は、締付け体と締付け操作部とによる締付け固定時における長尺体の歪な圧縮変形を抑制することのできる締付け固定具を提供する点にある。
【課題を解決するための手段】
【００１０】
長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成するとともに、前記締付け体には、前記締付け操作部の締付け操作に連れて締付け体と長尺体又は長尺体束との間に配置される前記押え体の外面に対して外方から押圧する押圧部を設けてある。
【００１１】
上記構成によれば、被取付け面に載置された一本の長尺体又は集束された複数本の長尺体束に対して、弧状又は略弧状の押え面を備えた複数個の押え体を、それの弧状押え面を対面する長尺体の外面に当て付けた状態で環状又は略環状に配置し、それらに外装される締付け体と締付け操作部との締付け操作によって長尺体又は長尺体束を被取付け面に締付け固定するから、環状又は略環状に配置された押え体と長尺体の外面又は長尺体束の外面との間に発生する空隙が少なくなり、締付け固定操作に伴う長尺体の歪な入り込み変形を抑制することができる。
【００１２】
しかも、前記締付け体に設けた押圧部により、締付け操作部の締付け操作に連れて締付け体と長尺体又は長尺体束との間に配置される押え体の外面が外方から押圧され、かつ、被取付け面に接する底面側の押え体も反力を受けるので、各押え体の弧状押え面で長尺体の外面を極力均等に押圧することができ、長尺体の歪な変形を抑制することができる。
【００１３】
従って、締付け体と締付け操作部とによる締付け固定時における長尺体の歪な圧縮変形を抑制することができる。
【００１４】
長尺体に外装可能な締付け体とそれを締付け側に操作する締付け操作部とで長尺体を被取付け面に締付け固定する締付け固定具であって、
前記長尺体の外面周りに略三角環状形に配置される三個の押え体の各々に、長尺体の外面に当て付け可能な弧状又は略弧状の押え面を形成するとともに、前記締付け体には、前記締付け操作部の締付け操作に連れて締付け体と長尺体との間に配置される左右の押え体の外面における押え面形成相当箇所に対して外方から押圧する押圧部を設けてある。
【００１５】
上記構成によれば、被取付け面に載置された長尺体に対して、弧状又は略弧状の押え面を備えた三個の押え体を、それの弧状押え面を長尺体の外面に当て付けた状態で略三角環状形に配置し、その押え体に外装される締付け体と締付け操作部との締付け操作によって長尺体を被取付け面に締付け固定するから、略三角環状形に配置された押え体と長尺体との間に発生する空隙が少なくなり、締付け固定操作に伴う長尺体の歪な入り込み変形を抑制することができる。
しかも、前記締付け体に設けた押圧部により、前記締付け操作部の締付け操作に連れて締付け体と長尺体との間に配置される左右の押え体の外面における押え面形成相当箇所が外方から押圧され、かつ、被取付け面に接する底面側の押え体も反力を受けるので、各押え体の弧状押え面で長尺体の外面を極力均等に押圧することができ、長尺体の歪な変形を抑制することができる。
【００１６】
従って、一本の長尺体を被取付け面に締付け固定する際、締付け体と締付け操作部とによる締付け固定操作に伴う長尺体の歪な圧縮変形を抑制することができる。
【００１７】
横断面視略三角形状に集束された複数本の長尺体に外装可能な締付け体とそれを締付け側に操作する締付け操作部とで前記長尺体束を被取付け面に締付け固定する締付け固定具であって、
前記長尺体束の底面側及び左右の斜面側に沿って略三角環状形に配置可能な複数個の押え体に、それに対面する長尺体の外面に沿って当て付け可能な弧状又は略弧状の押え面を形成するとともに、前記締付け体には、該締付け体と長尺体束の斜面側との間に配置される左右の押え体の外面における押え面形成相当箇所に対して外方から押圧する押圧部を設けてある。
【００１８】
上記構成によれば、被取付け面に載置された横断面視略三角形状に集束された複数本の長尺体に対して、弧状又は略弧状の押え面を備えた複数個の押え体を、それの弧状押え面を対面する長尺体の外面に当て付けた状態で略三角環状形に配置し、その押え体に外装される締付け体と締付け操作部との締付け操作によって長尺体束を被取付け面に締付け固定するから、略三角環状形に配置された押え体と長尺体束の外面との間に発生する空隙が少なくなり、締付け固定操作に伴う長尺体の歪な入り込み変形を抑制することができる。
【００１９】
しかも、前記締付け体に設けた押圧部により、前記締付け操作部の締付け操作に連れて締付け体と長尺体束の斜面側との間に配置される左右の押え体の外面における押え面形成相当箇所が外方から押圧され、かつ、被取付け面に接する底面側の押え体も反力を受けるので、各押え体の弧状押え面で長尺体の外面を極力均等に押圧することができ、長尺体の歪な変形を抑制することができる。
【００２０】
従って、複数本の長尺体を断面視略三角形状に集束した状態で締付け固定する場合でも、締付け体と締付け操作部とによる締付け固定操作に伴う長尺体の歪な圧縮変形を抑制することができる。
【００２１】
前記各押え体の両端部に外方に突出する連結部が設けられ、前記各連結部には、前記締付け体が係合可能な係合部が形成されている。
【００２２】
上記構成によれば、長尺体又は集束された複数本の長尺体束の周りに環状に配置される複数個の押え体に対して締付け体を外装する際、この締付け体を各押え体の両端部の連結部に形成されている係合部に係合させることにより、複数個の押え体の環状配置形態を維持することができるとともに、長尺体長手方向での各押え体のずれ動きも防止することができる。
【００２３】
前記複数個の押え体が屈曲変形可能な連結体を介して連結されている。
【００２４】
上記構成によれば、長尺体又は集束された複数本の長尺体束の周りに環状に配置される複数個の押え体を一単位として、この一単位の押え体を連結体にて連結しておくことにより、長尺体又は長尺体束に対する押え体の巻き付けや位置合わせ等の作業性を高めることができるとともに、押え体同士を連結する連結体が屈曲変形可能であるため、保管時や輸送時等においては展開した状態で積層することができ、締付け固定具の保管や輸送等をスペース面で有利に行うことができる。
【００２５】
前記押え体の少なくとも弧状押え面を被覆する軟質樹脂皮膜が形成されている。
【００２６】
上記構成によれば、前記押え体として剛性のある金属製のものを用いても、この押え体の弧状押え面に接するケーブル等の長尺体の損傷を抑制することができる。
【００２７】
前記押え体の一端部に、隣接する両押え体の端部間に臨む長尺体の外面に沿って当て付け可能な弧状の補助押え片が設けられている。
【００２８】
上記構成によれば、前記締付け操作部の締付け操作に連れて長尺体の一部が両押え体の隣接端部間に存在する空間に向かって歪に入り込み変形することを弧状の補助押え片によって抑制することができる。
【００２９】
前記締付け体がＵ字状又は略Ｕ字状のボルトから構成され、前記締付け操作部が前記Ｕ字状ボルトの両端部に螺合されるナットから構成されている。
【００３０】
上記構成によれば、前記締付け体及び締付け操作部としてＵ字状ボルト及びナットを用いるから、例えば、前記締付け体を、取付け基材の被取付け面に形成された被係合部に対して係脱自在な係止部を下端側に備えた左右一対の押え部材から構成するとともに、前記締付け操作部を、前記両押え部材の上端部同士を締付け側に相対近接移動させるボルト・ナットから構成する場合に比較して締付け固定操作の簡素化と構造の簡素化を図り易い。
本発明による第１の特徴構成は、長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成し、前記各押え体の両端部には外方に突出する連結部を設け、前記各連結部には、前記締付け体が係合可能な係合部を形成するとともに、前記締付け体には、前記締付け操作部の締付け操作に連れて締付け体と長尺体又は長尺体束との間に配置される前記押え体の外面に対して外方から押圧する押圧部を設けてある点にある。
本発明による第２の特徴構成は、長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成するとともに、前記締付け体には、前記締付け操作部の締付け操作に連れて締付け体と長尺体又は長尺体束との間に配置される前記押え体の外面に対して外方から押圧する押圧部を設け、前記複数個の押え体が屈曲変形可能な連結体を介して連結されている点にある。
本発明による第３の特徴構成は、長尺体又は集束された複数本の長尺体束に外装可能な締付け体とそれを締付け側に操作する締付け操作部とで長尺体又は長尺体束を被取付け面に締付け固定する締付け固定具であって、
前記長尺体又は長尺体束の周りに環状又は略環状に配置される複数個の押え体の各々に、それに対面する長尺体の外面に当て付け可能な弧状又は略弧状の押え面を形成するとともに、前記締付け体には、前記締付け操作部の締付け操作に連れて締付け体と長尺体又は長尺体束との間に配置される前記押え体の外面に対して外方から押圧する押圧部を設け、前記押え体の一端部には、隣接する両押え体の端部間に臨む長尺体の外面に沿って当て付け可能な弧状の補助押え片が設けられている点にある。
本発明による第４の特徴構成は、前記各押え体の中間部に、長尺体又は長尺体束の外周面に沿って弧状に湾曲する弧状中間部が形成され、前記各弧状中間部の内側面が前記押え面に形成されているとともに、前記締付け体の押圧部が各押え体の弧状中間部の外面を径方向外方から押圧するように構成されている点にある。
本発明による第５の特徴構成は、前記複数の押え体が、長尺体又は長尺体束の周りに略三角環状形に配置可能に構成されている点にある。
【発明を実施するための最良の形態】
【００３１】
〔第１実施形態〕
図１〜図６は、風力発電設備やトンネルなどの壁面や天井面等に適宜固定手段で固定された取付け基材１の被取付け面１ａに、長尺体の一例である可撓性のある電気ケーブル２を一本単位で締付け固定する締付け固定具を示し、前記取付け基材１の被取付け面１ａに載置された一本の電気ケーブル２に対して外装可能な締付け体の一例であるＵ字状又は略Ｕ字状のボルト３と、このＵ字状ボルト３を締付け側に操作する締付け操作部の一例で、取付け基材１の取付け孔１ｂを貫通する前記Ｕ字状ボルト３の両雄ネジ部３Ａに螺合されるナット４及びロックナット９と、前記電気ケーブル２の外周面（外面）とＵ字状ボルト３との間及び電気ケーブル２の外周面と取付け基材１の被取付け面１ａとの間において、電気ケーブル２の外周面周りにケーブル軸線方向視（横断面視）において略三角環状形に配置される三個の金属製（ステンレス鋼等）の押え体５とを主要構成として備えている。
【００３２】
前記各押え体５の中間部５Ａを電気ケーブル２の外周面の周方向に沿って弧状に湾曲形成して、この弧状中間部５Ａの内側面に、電気ケーブル２の外周面のうち、中心角が１２０度よりも少し小さな領域に沿って当て付け可能な弧状の押え面５ａを形成するとともに、前記各押え体５の両端部５Ｂを電気ケーブル２の径方向外方に折り曲げ形成し、この折り曲げ端部５Ｂをもって、前記電気ケーブル２の外周面への当て付け時に隣接するもの同士が径方向に沿って相対向する連結部を構成し、更に、前記各連結部５Ｂには、電気ケーブル２に対して上方から外装されるＵ字状ボルト３が係合可能な係合部の一例である係合凹部６が形成されている。
【００３３】
そして、前記電気ケーブル２の外周面周りに略三角環状形に配置される三個の押え体５に対してＵ字状ボルト３を外装する際、このＵ字状ボルト３を各押え体５の各連結部５Ｂに形成されている係合凹部６に係合させることにより、三個の押え体５の環状配置形態を維持することができるとともに、電気ケーブル２の軸線方向（長手方向）での各押え体５のずれ動きも防止することができる。
【００３４】
前記各押え体５のうち、電気ケーブル２の外周面周りに配置したときに隣接する連結部５Ｂ同士、詳しくは、前記係合凹部６の幅方向一側脇に位置する連結片５ｂの同士を、押え体５の板厚よりも薄く、かつ、前記連結片５ｂの幅よりも細幅に形成された屈曲変形操作可能な金属製（ステンレス鋼等）の連結体７を介して連結されているとともに、前記押え体５及び連結体７の全体が耐熱塩化ビニール樹脂等の合成樹脂製の軟質樹脂皮膜８で被覆されている。
【００３５】
そして、上述のように前記電気ケーブル２の外周面周りに略三角環状形に配置される三個の押え体５を一つの装着単位として、この一単位の押え体５を連結体７にて連結しておくことにより、電気ケーブル２に対する押え体５の巻き付けや位置合わせ等の作業性を高めることができるとともに、押え体５同士を連結する連結体７が屈曲変形可能であるため、締付け固定具の保管時や輸送時等においては水平方向に展開した偏平に近い状態で積層することができ、電気ケーブル２への装着作業性を高めながらも締付け固定具の保管や輸送等をスペース面で有利に行うことができる。
【００３６】
前記Ｕ字状ボルト３のうち、電気ケーブル２の外周面とＵ字状ボルト３との間に傾斜姿勢で配置される左右の押え体５の弧状中間部５Ａの外側面に接する両軸部３Ｂを接線方向に沿う直線状に形成して、この直線状軸部３Ｂを、前記両ナット４の締付け側への螺合操作に連れてＵ字状ボルト３と電気ケーブル２の外周面との間に配置される左右の押え体５の弧状中間部５Ａの外面における頂部相当箇所、つまり、弧状中間部５Ａの周方向中央位置に対して径方向外方から押圧する押圧部に構成してある。
【００３７】
そして、前記取付け基材１の被取付け面１ａに載置された電気ケーブル２に対して、弧状押え面５ａを備えた三個の押え体５を、それの弧状押え面５ａを電気ケーブル２の外周面に当て付けた状態で略三角環状形に配置し、それらの押え体５に外装されるＵ字状ボルト３と両ナット４との締付け操作によって電気ケーブル２を取付け基材１の被取付け面１ａに締付け固定するから、略三角環状形に配置された押え体５と電気ケーブル２の外面との間に発生する空隙が少なくなり、締付け固定操作に伴う電気ケーブル２の歪な入り込み変形を抑制することができる。
【００３８】
しかも、前記Ｕ字状ボルト３に設けた押圧部３Ｂにより、前記ナット４の締付け操作に連れてＵ字状ボルト３と電気ケーブル２の外周面との間に配置される左右の押え体５の弧状中間部５Ａの外面における頂部相当箇所が径方向外方から押圧され、かつ、取付け基材１の被取付け面１ａに接する底面側の押え体５の弧状中間部５Ａの外面における頂部相当箇所も径方向の反力を受けるので、各押え体５の弧状押え面５ａで電気ケーブル２の外周面の略全域を極力均等に押圧することができ、電気ケーブル２の歪な圧縮変形を抑制することができる。
【００３９】
〔第２実施形態〕
図７〜図１２は、風力発電設備やトンネルなどの壁面や天井面等に適宜固定手段で固定された取付け基材１の被取付け面１ａに、長尺体の一例である可撓性のある電気ケーブル２を三本単位で締付け固定する締付け固定具を示し、前記取付け基材１の被取付け面１ａに横断面視略三角形状に集束された状態で載置された三本一組の電気ケーブル束Ａに対して外装可能な締付け体の一例であるＵ字状又は略Ｕ字状のボルト３と、このＵ字状ボルト３を締付け側に操作する締付け操作部の一例で、取付け基材１の取付け孔１ｂを貫通する前記Ｕ字状ボルト３の両雄ネジ部３Ａに螺合されるナット４及びロックナット９と、前記電気ケーブル束Ａの外面とＵ字状ボルト３との間及び電気ケーブル束Ａの外面と取付け基材１の被取付け面１ａとの間において、電気ケーブル束Ａの周りにケーブル軸線方向視において略三角環状形に配置される三個の金属製（ステンレス鋼等）の押え体５とを主要構成として備えている。
【００４０】
前記各押え体５の中間部で、かつ、三角形状に集束された電気ケーブル２と対面する二箇所５Ａを夫々電気ケーブル２の外周面の周方向に沿って弧状に湾曲形成して、各弧状中間部５Ａの内側面に、電気ケーブル２の外周面のうち、中心角が１２０度よりも少し小さな領域に沿って当て付け可能な弧状の押え面５ａを形成するとともに、前記各押え体５の両端部５Ｂを電気ケーブル２の径方向外方に折り曲げ形成し、この折り曲げ端部５Ｂをもって、前記電気ケーブル束Ａ周りへの環状配置時に隣接するもの同士が径方向に沿って相対向する連結部を構成し、更に、前記各連結部５Ｂには、電気ケーブル束Ａに対して上方から外装されるＵ字状ボルト３が係合可能な係合部の一例である係合凹部６が形成されている。
【００４１】
前記各押え体５のうち、電気ケーブル束Ａの周りに環状配置したときに隣接する連結部５Ｂ同士、詳しくは、前記係合凹部６の幅方向一側脇に位置する連結片５ｂの同士は、押え体５の板厚よりも薄く、かつ、前記連結片５ｂの幅よりも細幅に形成された屈曲変形操作可能な金属製（ステンレス鋼等）の連結体７を介して一体的に連結されているとともに、前記押え体５及び連結体７の全体が耐熱塩化ビニール樹脂等の合成樹脂製の軟質樹脂皮膜８で被覆されている。
【００４２】
前記Ｕ字状ボルト３のうち、電気ケーブル束Ａの斜面側とＵ字状ボルト３との間に配置される左右の押え体５の両弧状中間部５Ａの外面に接する軸部３Ｂを接線方向に沿う直線状に形成して、この直線状軸部３Ｂを、前記両ナット４の締付け側への螺合操作に連れてＵ字状ボルト３と電気ケーブル２の斜面側との間に配置される左右の押え体５の両弧状中間部５Ａの外面における頂部相当箇所、つまり、両弧状中間部５Ａの周方向中央位置に対して径方向外方から押圧する押圧部に構成してある。
【００４３】
そして、前記取付け基材１の被取付け面１ａに横断面視略三角形状に集束された状態で載置された電気ケーブル束Ａに対して、二つの弧状押え面５ａを備えた三個の押え体５を、それの両弧状押え面５ａを電気ケーブル２の外周面に当て付けた状態で略三角環状形に配置し、それらの押え体５に外装されるＵ字状ボルト３と両ナット４との締付け操作によって電気ケーブル束Ａを取付け基材１の被取付け面１ａに締付け固定するから、略三角環状形に配置された押え体５と電気ケーブル束Ａの外面との間に発生する空隙が少なくなり、締付け固定操作に伴う電気ケーブル２の歪な入り込み変形を抑制することができる。
【００４４】
しかも、前記Ｕ字状ボルト３に設けた押圧部３Ｂにより、前記ナット４の締付け操作に連れてＵ字状ボルト３と電気ケーブル束Ａの外面との間に配置される左右の押え体５の両弧状中間部５Ａの外面における頂部相当箇所が径方向外方から押圧され、かつ、取付け基材１の被取付け面１ａに接する底面側の押え体５の両弧状中間部５Ａの外面における頂部相当箇所も径方向の反力を受けるので、各押え体５の弧状押え面５ａで電気ケーブル２の外周面を極力均等に押圧することができ、集束された電気ケーブル２の歪な変形を抑制することができる。
尚、その他の構成は、第１実施形態で説明した構成と同一であるから、同一の構成箇所には、第１実施形態と同一の番号を付記してそれの説明は省略する。
【００４５】
〔第３実施形態〕
上述の第２実施形態において、図１３〜図１５に示すように、前記押え体５の一端側の連結部５Ｂには、前記両押え体５の隣接間に臨む電気ケーブル２の外周面に沿って当て付け可能な円弧状の補助押え片１０が、前記係合凹部６よりも小なる幅で該係合凹部６内を通して延設されているとともに、この補助押え片１０の補助押え面１０ａとこれに連なる弧状中間部５Ａの弧状押え面５ａとが電気ケーブル２の外周面に沿う一連の弧状面に形成されている。
【００４６】
また、前記補助押え片１０は、押え体５及び連結体７と一緒に耐熱塩化ビニール樹脂等の合成樹脂製の軟質樹脂皮膜８で被覆されている。
尚、その他の構成は、第１実施形態で説明した構成と同一であるから、同一の構成箇所には、第１実施形態と同一の番号を付記してそれの説明は省略する。
【００４７】
また、上述の第１実施形態において、上述の第３実施形態と同様に、前記押え体５の一端側の連結部５Ｂに、前記両押え体５の隣接間に臨む電気ケーブル２の外面に沿って当て付け可能な円弧状の補助押え片１０を、前記係合凹部６よりも小なる幅で該係合凹部６内を通して延設してもよい。
【００４８】
更に、上述の第３実施形態では、前記補助押え片１０を押え体５の一方の連結部５Ｂの係合凹部６内を通して延設したが、前記押え体５の係合凹部６から外れた部位に前記補助押え片１０を設けてもよく、更にまた、前記補助押え片１０を押え体５とは別体に製作して、押え体５に後付けするように構成してもよい。
【００４９】
〔第４実施形態〕
上述の第１・第２実施形態では、前記電気ケーブル２又は電気ケーブル束Ａの周りに略三角環状形に配置される三個の押え体５を一つの装着単位として、この一装着単位の押え体５を連結体７にて連結するとともに、前記押え体５及び連結体７の全体を耐熱塩化ビニール樹脂等の合成樹脂製の軟質樹脂皮膜８で一体的に被覆したが、図１６〜図１９に示すように、前記一装着単位の押え体５を各別に製作するとともに、各押え体５に対して密着状態で着脱自在に外套装着される横断面略角Ｃの字状の軟質合成樹脂製の保護カバー１１を設け、前記の一装着単位にあたる三つの保護カバー１１を連結体１２で一体形成して、この一体化された三つの保護カバー１１及び連結体１２をもって、前記一装着単位（複数）の押え体５を屈曲変形自在に連結する連結体７に構成してもよい。
尚、その他の構成は、第１実施形態で説明した構成と同一であるから、同一の構成箇所には、第１実施形態と同一の番号を付記してそれの説明は省略する。
【００５０】
〔その他の実施形態〕
（１）上述の第２実施形態では、取付け基材１の被取付け面１ａに、電気ケーブル等の可撓性の長尺体２を３本単位で締付け固定する締付け固定具について説明したが、２本又は４本以上の単位で長尺体２を締付け固定する締付け固定具についても本発明の技術を適用することができる。
また、２本の長尺体２を締付け固定する締付け固定具の場合では、長尺体２の外面と取付け基材１の被取付け面１ａとの間に、２本の長尺体２の外周面に当て付け可能な二つの弧状押え面５ａを備えた第１押え体５を配置し、前記長尺体２の外面とＵ字状ボルト３との間には、１本の長尺体２の外周面に当て付け可能な一つの弧状押え面５ａを備えた左右の第２押え体５を配置することになる。
そのため、２本の長尺体２を集合して被取付け面１ａに締付け固定する場合では、前記三個の押え体５は、長尺体束Ａの周りにケーブル軸線方向視において略楕円環状形に配置されることになる。
また、この実施形態の場合、上述の第１実施形態及び第２実施形態では同一形状の押え体５を用いることができたが、形状の異なる第１押え体５と第２押え体５との二種類を準備する必要がある。
【００５１】
（２）上述の各実施形態では、複数個の押え体５を屈曲変形可能な連結体７を介して一体的に連結したが、複数個の押え体５を屈曲自在に枢支連結してもよく、また、隣接する押え体５同士を脱着自在に係合連結してもよい。
【００５２】
（３）上述の各実施形態では、前記締付け体３をＵ字状又は略Ｕ字状のボルトから構成し、前記締付け操作部４を前記Ｕ字状ボルト３の両端部の雄ネジ部３Ａに螺合されるナットから構成したが、前記締付け体３を、取付け基材１の被取付け面１ａに形成された被係合部に対して係脱自在な係止部を下端側に備えた板状の左右一対の押え部材から構成し、前記締付け操作部４を、前記両押え部材の上端部同士を締付け側に相対近接移動させるボルト・ナットから構成してもよい。
要するに、前記締付け体３としては、長尺体２又は集束された複数本の長尺体２に外装可能であり、前記締付け操作部４としは、締付け体３を締付け側に操作することのできるものであればよく、更に、前記締付け体３に、締付け操作部４の締付け操作に連れて締付け体３と長尺体２の外面又は長尺体束Ａの外面との間に配置される左右の押え体５の外面に対して外方から押圧する押圧部３Ｂを設けてあればよい。
【００５３】
（４）前記長尺体２又は集束された長尺体束Ａの周りに環状又は略環状に配置される複数個の押え体５の押え面５ａは、長尺体２の外周面の横断面形状又は長尺体束Ａの横断面視での輪郭形状に沿って連続又は略連続する形状が望ましい。
【００５４】
（５）上述の第１実施形態及び第２実施形態では、前記押え体５及び連結体７の全体を軟質樹脂皮膜８で被覆したが、前記押え体５だけを軟質樹脂皮膜８で被覆してもよく、また、前記押え体５の長尺体２に対面する側の片面又は弧状押え面５ａのみを軟質樹脂皮膜８で被覆してもよい。
【００５５】
（６）上述の第１実施形態及び第２実施形態では、前記連結部５Ｂに、電気ケーブル等の長尺体２に対して外装されるＵ字状ボルト３が係合可能な係合凹部６を形成したが、前記連結部５Ｂに、長尺体２に対して外装されるＵ字状ボルト３が係合可能な係合突起を設けてもよい。
【図面の簡単な説明】
【００５６】
【図１】本発明の第１実施形態を示す施工状態での締付け固定具全体の断面正面図
【図２】施工状態での締付け固定具全体の断面側面図
【図３】締付け固定具全体の展開状態での正面図
【図４】締付け固定具全体の展開状態での平面図
【図５】図４におけるＶ−Ｖ線断面図
【図６】締付け固定具全体の装着姿勢での一部切欠き正面図
【図７】本発明の第２実施形態を示す施工状態での締付け固定具全体の断面正面図
【図８】施工状態での締付け固定具全体の断面側面図
【図９】締付け固定具全体の展開状態での正面図
【図１０】締付け固定具全体の展開状態での平面図
【図１１】図１０におけるＸＩ−ＸＩ線断面図
【図１２】締付け固定具全体の装着姿勢での一部切欠き正面図
【図１３】本発明の第３実施形態を示す締付け固定具全体の展開状態での平面図
【図１４】図１３におけるＸＩＶ−ＸＩＶ線断面図
【図１５】施工状態での締付け固定具全体の断面正面図
【図１６】本発明の第４実施形態を示す締付け固定具の押え体及び保護カバーの分解正面図
【図１７】保護カバーの展開状態での平面図
【図１８】（イ）、（ロ）は押え体の平面図と正面図
【図１９】施工状態での締付け固定具全体の断面正面図
【符号の説明】
【００５７】
Ａ        長尺体束（電気ケーブル束）
１        取付け基材
１ａ      被取付け面
２        長尺体（電気ケーブル）
３        締付け体（Ｕ字状ボルト）
３Ｂ      押え部
４        締付け操作部（ナット）
５        押え体
５Ａ      弧状中間部
５Ｂ      連結部
５ａ      押え面
６        係合部（係合凹部）
７        連結体
１０      補助抑え片
【図１】
0004758810.tif 000002
【図２】
0004758810.tif 000003
【図３】
0004758810.tif 000004
【図４】
0004758810.tif 000005
【図５】
0004758810.tif 000006
【図６】
0004758810.tif 000007
【図７】
0004758810.tif 000008
【図８】
0004758810.tif 000009
【図９】
0004758810.tif 000010
【図１０】
0004758810.tif 000011
【図１１】
0004758810.tif 000012
【図１２】
0004758810.tif 000013
【図１３】
0004758810.tif 000014
【図１４】
0004758810.tif 000015
【図１５】
0004758810.tif 000016
【図１６】
0004758810.tif 000017
【図１７】
0004758810.tif 000018
【図１８】
0004758810.tif 000019
【図１９】
0004758810.tif 000020